(57)【要約】      （修正有）【課題】  赤目補正に関して、顧客の細かい要望に応えることが可能な画像処理装置および画像処理プログラムを提供する。【解決手段】  写真プリント装置は、画像に含まれる人間の瞳部分の色調不良の補正、いわゆる赤目補正を行う際において、瞳特定部３３が瞳部分として画像の一部分を特定する。補正内容設定部３４は、ユーザによって選択された赤目補正パラメータおよびその補正度合を設定する。補正候補画像作成部３５は、設定された赤目補正パラメータおよびその補正度合に基づいて補正した補正候補画像を作成する。モニタ１１は、補正候補画像を表示する。【選択図】      図２
2006180160.tif 000002
【特許請求の範囲】
【請求項１】
画像に含まれる瞳部分を補正する画像処理装置であって、
前記瞳部分を特定する瞳特定部と、
前記瞳特定部によって特定された瞳部分を補正するための補正パラメータを設定する補正内容設定部と、
前記補正内容設定部において設定された補正パラメータを用いて、前記特定された瞳部分を補正した補正候補画像を作成する補正候補画像作成部と、
前記補正候補画像作成部によって作成された前記補正候補画像を表示する表示部と、
を備えている画像処理装置。
【請求項２】
前記補正候補画像作成部は、作成した前記補正候補画像に対して前記補正パラメータを設定して再度補正した補正候補画像を作成可能である、
請求項１に記載の画像処理装置。
【請求項３】
前記表示部は、前記補正候補画像を複数表示する、
請求項１または２に記載の画像処理装置。
【請求項４】
前記補正内容設定部は、前記補正パラメータごとにその補正パラメータにおける補正度合いを所定の割合で１段階ずつ変更可能である、
請求項１から３のいずれか１項に記載の画像処理装置。
【請求項５】
前記補正パラメータごとの補正度合いを示すグラフを作成する補正内容グラフ作成部をさらに備え、
前記表示部は、前記補正内容グラフ作成部において作成されたグラフを表示する、
請求項１から４のいずれか１項に記載の画像処理装置。
【請求項６】
画像に含まれる瞳部分を補正する画像処理プログラムであって、
前記瞳部分を特定する第１のステップと、
前記瞳部分を補正するための補正パラメータを設定する第２のステップと、
前記補正パラメータを用いて、前記瞳部分を補正した補正候補画像を作成する第３のステップと、
前記補正候補画像を表示する第４のステップと、
を備えた画像処理方法をコンピュータに実行させる画像処理プログラム。
【発明の詳細な説明】
【技術分野】
【０００１】
本発明は、フラッシュ撮影された画像における人目の色調不良の補正、いわゆる赤目補正を行う画像処理装置および画像処理プログラムに関する。
【背景技術】
【０００２】
近年、デジタルカメラ等の画像処理装置によって撮影されて得られるデジタル画像データや、写真フィルムに撮影された画像をフィルムスキャナによって読み取って形成されたデジタル画像データ等に基づいて、写真プリントを行う写真プリント画像処理装置（デジタルミニラボ）が広く用いられている。
このような写真プリント画像処理装置では、フラッシュ撮影時に人の目の部分が赤くなってプリントされる、いわゆる赤目を適切な色に補正するための赤目補正を行って、高品質な写真プリントを提供するものがある。
【０００３】
特許文献１には、画像データに含まれる人の顔を検出して、赤目補正を自動的に行う画像処理装置について開示されている。この画像処理装置では、一対の目を含む領域を設定した後、複数の小領域に分割してこの中から瞳候補領域を選択し、瞳候補領域の内の赤目画素を抽出してこれを補正している。これにより、オペレータの技量によることなく、簡易で精度のよい赤目補正を行うことが可能になる。
【特許文献１】特開平９−２６１５８０号公報（平成９年１０月３日公開）
【特許文献２】特開平１０−３４１３５２号公報（平成１０年１２月２２日公開）
【発明の開示】
【発明が解決しようとする課題】
【０００４】
しかしながら、上記従来の画像処理装置では、以下に示すような問題点を有している。
すなわち、上記公報に開示された画像処理装置では、赤目補正を行う瞳候補領域を自動的に設定して補正するものであって、瞳候補領域が設定された後は自動的に赤目補正が行われる。このため、赤目補正の結果が実際の瞳の色とは異なっていても、１回の赤目補正により確定されるため、プリントされた写真の瞳の色に関して顧客の細かい要望に応えることはできない。
【０００５】
特に、顧客が自ら店頭受付機によって適切な赤目補正を選択してプリントを依頼することが可能になっている今日の状況下においては、顧客が自分の実際の目の色になるように補正したい場合や、自分が気に入った色の目になるように補正したい場合等、各種要望に応じることが可能な画像処理装置が求められてきている。
本発明の課題は、赤目補正に関して、顧客の細かい要望に応えることが可能な画像処理装置および画像処理プログラムを提供することにある。
【課題を解決するための手段】
【０００６】
第１の発明に係る画像処理装置は、画像に含まれる瞳部分を補正する画像処理装置であって、瞳特定部と、補正内容設定部と、補正候補画像作成部と、表示部とを備えている。瞳特定部は、瞳部分を特定する。補正内容設定部は、瞳特定部によって特定された瞳部分を補正するための補正パラメータを設定する。補正候補画像作成部は、補正内容設定部において設定された補正パラメータを用いて、特定された瞳部分を補正した補正候補画像を作成する。表示部は、補正候補画像作成部によって作成された補正候補画像を表示する。
【０００７】
ここでは、フラッシュ撮影された撮影コマ画像に含まれる瞳の色調不良の補正、いわゆる赤目補正を行う画像処理装置において、補正パラメータを設定した後、色調不良の瞳の部分に相当する画像の一部分を補正した補正候補画像を作成し、これをモニタ等に表示する。
一般的に、赤目補正を行う補正パラメータとしては、彩度引き、ブルー化、グレー化、ブルーグリーン化、金色になった瞳の色を補正する金目処理等が挙げられる。
【０００８】
本発明の画像処理装置では、これらの赤目補正用の補正パラメータがユーザの指定により設定されると、自動的に赤目補正処理が施された画像をプリントするのではなく、指定した補正パラメータにより補正した結果として補正候補画像を表示する。
これにより、ユーザは、瞳の色が自分の好みに合ったものに補正されているか否かを確認した上で、満足度が高ければ実際にプリントし、満足度が低ければ再度補正パラメータを設定し直して新たに別の補正候補画像を作成することができる。よって、赤目補正に関して、ユーザの細かい要望に応えることが可能な画像処理装置を提供することができる。
【０００９】
第２の発明に係る画像処理装置は、第１の発明に係る画像処理装置であって、補正候補画像作成部は、作成した補正候補画像に対して補正パラメータを設定して再度補正した補正候補画像を作成可能である。
ここでは、最初に設定された補正パラメータに応じて作成された補正候補画像に対して、再度補正パラメータを設定して補正した２つめの補正候補画像を作成可能としている。
【００１０】
これにより、一度作成した補正候補画像に対して更なる補正を行うことで、複数段階で補正した補正候補画像を作成することができる。よって、ユーザが満足するまで補正パラメータの度合いを変更して繰り返し作成された補正候補画像の中から最も気に入ったものを選択して、この補正パラメータに基づく補正を施してプリントすることができる。
なお、２回目以降の補正候補画像の作成については、異なる種類の補正パラメータに変更して作成してもよいし、同じ種類の補正パラメータの補正度合いを変更して作成してもよい。
【００１１】
第３の発明に係る画像処理装置は、第１または第２の発明に係る画像処理装置であって、表示部は、補正候補画像を複数表示する。
ここでは、同じ種類の補正パラメータの補正度合いを変更して作成した複数の補正候補画像、あるいは異なる種類の補正パラメータを組み合わせた複数の補正候補画像を、モニタ等に表示する。
【００１２】
これにより、ユーザは指定した補正パラメータによって補正された複数の補正候補画像を比較しながら、この中から最も満足度の高い補正候補画像を選択してプリントすることができる。
第４の発明に係る画像処理装置は、第１から第３の発明のいずれか１つに係る画像処理装置であって、補正内容設定部は、補正パラメータごとにその補正パラメータにおける補正度合いを所定の割合で１段階ずつ変更可能である。
【００１３】
ここでは、補正候補画像を作成するための補正パラメータに関し、各補正パラメータごとに所定の割合で補正度合いを１段階ずつ増減させながら補正を行うことを可能としている。
これにより、例えば、所定のボタンを押下するだけで、指定した補正パラメータの補正度合いを１段階ずつ増減させた補正候補画像を作成することができる。
【００１４】
第５の発明に係る画像処理装置は、第１から第４の発明のいずれか１つに係る画像処理装置であって、補正パラメータごとの補正度合いを示すグラフを作成する補正内容グラフ作成部をさらに備えている。そして、表示部は、補正内容グラフ作成部において作成されたグラフを表示する。
ここでは、複数段階の補正を行った際に、現在表示されている補正候補画像の補正パラメータの種類、補正度合い等をグラフとして表示する。
【００１５】
これにより、複数段階で何種類もの補正パラメータを用いて複数の補正候補画像を作成した場合でも、ユーザはグラフを確認するだけで容易に現在表示されている補正候補画像の補正内容について認識することができる。よって、グラフを参照することで、その後補正する際にどの補正パラメータの補正度合いを増減すれば好みの画像になるかを容易に選択することができる。
【００１６】
第６の発明に係る画像処理プログラムは、画像に含まれる瞳部分を補正する画像処理プログラムであって、第１から第４のステップを備えた画像処理方法をコンピュータに実行させる。第１のステップは、瞳部分を特定する。第２のステップは、瞳部分を補正するための補正パラメータを設定する。第３のステップは、補正パラメータを用いて瞳部分を補正した補正候補画像を作成する。第４のステップは、補正候補画像を表示する。
【００１７】
ここでは、フラッシュ撮影された撮影コマ画像に含まれる瞳の色調不良の補正、いわゆる赤目補正を行う画像処理プログラムにおいて、補正パラメータを設定した後、色調不良の瞳の部分に相当する画像の一部分を補正した補正候補画像を作成し、これをモニタ等に表示する。
一般的に、赤目補正を行う補正パラメータとしては、彩度引き、ブルー化、グレー化、ブルーグリーン化、金色になった瞳の色を補正する金目処理等が挙げられる。
【００１８】
本発明の画像処理プログラムでは、これらの赤目補正用の補正パラメータがユーザの指定により設定されると、自動的に赤目補正処理が施された画像をプリントするのではなく、指定した補正パラメータにより補正した結果として補正候補画像を表示する。
これにより、ユーザは、瞳の色が自分の好みに合ったものに補正されているか否かを確認した上で、満足度が高ければ実際にプリントし、満足度が低ければ再度補正パラメータを設定し直して新たに別の補正候補画像を作成することができる。よって、赤目補正に関して、ユーザの細かい要望に応えることが可能な画像処理装置を提供することができる。
【発明の効果】
【００１９】
第１の発明に係る画像処理装置によれば、赤目補正に関して、ユーザの細かい要望に応えることが可能な画像処理装置を提供することができる。
第２の発明に係る画像処理装置によれば、ユーザが満足するまで補正パラメータの度合いを変更して繰り返し作成された補正候補画像の中から最も気に入ったものを選択して、この補正パラメータに基づく補正を施してプリントすることができる。
【００２０】
第３の発明に係る画像処理装置によれば、ユーザは指定した補正パラメータによって補正された複数の補正候補画像を比較しながら、この中から最も満足度の高い補正候補画像を選択してプリントすることができる。
第４の発明に係る画像処理装置によれば、指定した補正パラメータの補正度合いを１段階ずつ増減させた補正候補画像を作成することができる。
【００２１】
第５の発明に係る画像処理装置によれば、グラフを参照することで、その後補正する際にどの補正パラメータの補正度合いを増減すれば好みの画像になるかを容易に選択することができる。
第６の発明に係る画像処理プログラムによれば、赤目補正に関して、ユーザの細かい要望に応えることが可能な画像処理装置を提供することができる。
【発明を実施するための最良の形態】
【００２２】
本発明の一実施形態に係る画像処理装置および画像処理プログラムを内蔵した写真プリント装置１について、図１〜図８を用いて説明すれば以下の通りである。
［写真プリント装置１の全体構成］
本発明の一実施形態に係る写真プリント装置１は、図１に示すように、写真プリント店の店頭に設置される店頭受付機である。また、写真プリント装置１は、ＣＤ−ＲやＵＳＢメモリを含む各種記録メディアやカメラ付き携帯電話等から画像データを取得して必要なプリント枚数、画像処理の内容がユーザによって入力されると、入力内容を反映させて写真プリントを行う。写真プリント装置１は、モニタ１１等を含む端末機２と、プリンタ３とを備えている。
【００２３】
端末機２は、プリンタ３の上に載置されており、モニタ１１、メディアリーダ１２、赤外線受光部１３、ＣＤ（コンパクトディスク）ドライブ１４、ＦＤ（フロッピー（登録商標）ディスク）ドライブ１５を備えている。
プリンタ３は、端末機２において取得された画像データを、ユーザによって設定されたプリント枚数、画像処理内容に基づいて写真プリントする。
【００２４】
モニタ１１は、タッチパネル式の表示装置であって、プリント枚数や画像処理内容の設定等がアイコンやボタン等の押下によって入力される。
メディアリーダ１２は、各種記録メディアに対応することができるように複数種類設けられており、挿入された記録メディアから画像データを取得する。
赤外線受光部１３は、カメラ付き携帯電話から赤外線送信される画像データを、赤外線通を通じて取得する。なお、カメラ付き携帯電話からの画像データの取得は、赤外線通信に限らず、専用ケーブル等を用いて行うことも可能である。
【００２５】
ＣＤドライブ１４およびＦＤドライブ１５は、ＣＤ−Ｒ／ＲＷ、ＦＤがそれぞれ挿入され、記録された画像データを取得する。また、ＣＤドライブ１４については、画像処理後の画像データを記録することもできる。
また、写真プリント装置１は、図２に示すような制御ブロックを備えている。この制御ブロックは、写真プリント装置１が内蔵するメモリ３０に格納されている画像処理プログラムをＣＰＵが読み取って形成される機能ブロックとして、画像入力部３１、指示入力部３２、瞳特定部３３、補正内容設定部３４、補正候補画像作成部３５、グラフ作成部３６、ビデオ制御部３７、プリントデータ生成部３８を備えている。
【００２６】
画像入力部３１は、メディアリーダ１２、赤外線受光部１３、ＣＤドライブ１４およびＦＤドライブ１５から画像データを取り込んで、次の処理のために必要な前処理を行うとともに画像補正における元画像データとしてメモリ３０に送信する。このとき、画像入力部３１は、１つの撮影コマ画像を表す画像データとして高解像度データと低解像度データの２種類をメモリ３０に記憶させる。これにより、画像補正における各種画像処理内容の設定を行う際には低解像度データを用いて効率よく画像処理の設定を行うことができる。この結果、この低解像度データに基づいて決定された補正内容に基づいて高解像度データを補正することで、ＣＰＵの計算負荷を低減することができる。
【００２７】
指示入力部３２は、各種ウインドウや各種操作ボタンなどを含むグラフィック操作画面を作成し、このグラフィック操作画面を通じてタッチパネルとしてのモニタ１１を介してユーザからの指示入力を受け付ける。
瞳特定部３３は、選択された撮影コマに対応する画像に含まれる人間の瞳の部分を特定する。瞳特定方法としては、まず人間の顔の部分を、瞳、鼻、口の配置から特定し、特定された顔から瞳の部分を特定する方法等、様々な方法を採用することができる。
【００２８】
補正内容設定部３４は、瞳特定部３３において特定された瞳部分にフラッシュ撮影による色調不良が生じている場合に、この瞳部分に対して赤目補正を行うための補正内容を設定する。赤目補正の補正パラメータとしては、彩度引き、ブルー化、グレー塗りつぶし、ブルーグリーン化、金目処理等が挙げられる（図３および図4参照）。補正内容設定部３４には、これらの補正パラメータの種類とその補正度合いとが設定される。
【００２９】
補正候補画像作成部３５は、補正内容設定部３４において選択された赤目補正の補正パラメータの種類とその補正度合いとに基づいて、メモリ３０に記憶されている低解像度画像データの瞳部分を補正して、瞳部分の周辺を拡大した補正候補画像を作成する。
グラフ作成部３６は、補正内容設定部３４において設定された赤目補正パラメータおよび補正度合に基づいて、モニタ１１に表示させるための各赤目補正パラメータごとの補正度合を示すグラフを作成する（図５の補正グラフエリア６３参照）。
【００３０】
ビデオ制御部３７は、赤目補正等のプリントソース画像や予想仕上がりプリント画像としての補正候補画像、さらには指示入力部３２から送信されてきた指示内容に基づいてモニタ１１に表示させるためのビデオ信号を生成する。
プリントデータ生成部３８は、確定した赤目補正を含む画像データに基づいてプリンタに適合するプリントデータを生成し、プリンタ３に対して送信する。
【００３１】
［赤目補正の設定処理時における表示］
本実施形態の写真プリント装置１における赤目補正を行う際の設定処理について、図３〜図５に示すモニタ１１に実際に表示される画面を用いて説明すれば以下の通りである。
メモリ３０に格納された画像データに対応する撮影コマ画像は、図３に示すような操作入力画面４０における複数の表示枠４１にそれぞれ表示される。この操作入力画面４０における各表示枠４１の下部には、色濃度補正設定エリア４２とプリント枚数設定エリア４３とが配置されている。
【００３２】
色濃度補正設定エリア４２には、「イエロー」、「マゼンタ」、「シアン」、「濃度」の設定枠が設けられており、補正量の「Ｎ」はニュートラルを意味し、これを選択すると補正なしとなる。プリント枚数設定エリア４３には、プリント枚数入力枠が設けられており、「パス」はプリント枚数が「０」であることを意味している。
また、操作入力画面４０における下段部分には、プリント条件表示エリア４４が配置されている。このプリント条件表示エリア４４では、この写真プリント出力に適用されたプリントチャンネル名称が表示されており、このプリントチャンネルに含まれているプリントサイズ、インデックスプリントの要否やメディア出力の要否などが決定される。なお、プリントサイズとは、仕上がり写真プリントＰの大きさを示すものであり、本実施形態では印画紙幅と送り長さとでプリントサイズが決定される。
【００３３】
ここで、各撮影コマ画像における赤目補正の要否について確認したい場合には、例えば、各撮影コマ画像上にカーソルを合わせてマウスをダブルクリックすることで、モニタ１１の表示が、図４に示すような赤目補正画面５０に切り替わる。
赤目補正画面５０は、その大部分が拡大画像表示エリア５１によって占められており、右端のエリアに表示確認エリア５２、赤目補正内容選択エリア５３、詳細赤目補正ボタン５４等が上段からこの順で配置されている。
【００３４】
拡大画像表示エリア５１に表示された画像に対する赤目補正は、通常、人間の顔の部分を特定することから開始される。そして、特定された顔の部分からさらに瞳の部分を特定する処理がなされ、赤目補正を行う対象を特定する。本実施形態では、拡大画像表示エリア５１の下部に配置された瞳自動検出のチェックボックス５６にチェックが入っているため、図３の操作入力画面４０において赤目補正を行うために撮影コマに対応する画像が選択されて、図４の赤目補正画面５０に切り替わると同時に自動的に瞳検出までの処理が実行される。なお、図４においては、瞳検出された部分（瞳周辺の眼鏡大の領域）を四角で表示している。また、瞳検出を自動で行わずに、ユーザが自分で行う場合には、チェックボックス５６のチェックを外し、自らモニタ１１の画面上で赤目補正を行う瞳部分を特定することもできる。
【００３５】
表示確認エリア５２では、撮影コマ画像における拡大画像表示エリア５１において表示されている部分が枠線によって示されている。また、表示確認エリア５２の上部には、拡大画像表示エリア５１において表示されている画像の拡大・縮小率を示す拡大縮小率表示部５２ａが配置されており、ここで拡大縮小率を変更することができる。
赤目補正内容選択エリア５３は、彩度引き、ブルー、グレー塗りつぶし、ブルーグリーン、金目という５種類の補正パラメータの中から所望の赤目補正を選択するためのエリアである。また、赤目補正内容選択エリア５３は、赤目補正ボタン５３ａを有している。この赤目補正ボタン５３ａが押下されることで、上記５種類の赤目補正の中から選択された赤目補正が自動的に実施されて拡大画像表示エリア５１に赤目補正後の画像が表示されるとともに、この画像に対する赤目補正の内容が確定される。つまり、赤目補正ボタン５３ａを押下した場合には、赤目補正内容選択エリア５３において選択された１種類、１回の赤目補正が、拡大画像表示エリア５１に表示された画像に対して自動的に実行される。
【００３６】
詳細赤目補正ボタン５４は、上述した赤目補正ボタン５３ａで赤目補正を実行するよりも詳細な赤目補正を行うことを希望する場合に押下されるボタンである。具体的には、詳細赤目補正ボタン５４が押下されることで、モニタ１１の表示が、図５に示す詳細赤目補正画面６０に切り替わる。
詳細赤目補正画面６０においては、詳細赤目補正エリア６１が画面の大部分を占めており、その右側に補正領域表示エリア６２、補正グラフエリア６３が配置されている。
【００３７】
補正領域表示エリア６２は、自動的に検出された瞳部分を含む周辺領域が四角で囲まれて表示されており、その下部に表示された順番の瞳部分の周辺領域が、詳細赤目補正エリア６１に拡大表示される。図５に示す例では、詳細赤目補正エリア６１には、４つ特定された瞳部分のうちの左から２つ目の瞳部分の周辺領域が、表示サイズエリア６２ａに示されているように４００．０％の拡大率で表示されている。すなわち、補正領域表示エリア６２の下部の「２／４」とは、「左から何番目の瞳部分／自動的に特定された瞳部分の数」という表示であって、「２／４」の上部に配置された「＜」あるいは「＞」のボタンを押下することで詳細赤目補正エリア６１に拡大表示される瞳部分を変更することができる。なお、詳細赤目補正エリア６１に表示される瞳部分の画像の拡大・縮小率は、上記表示サイズエリア６２ａにおいて数値を変更することで変更可能である。
【００３８】
詳細赤目補正エリア６１は、補正領域表示エリア６２において四角で囲まれた領域、つまり赤目補正を行う対象となる瞳部分を含む周辺領域を拡大して表示している。また、詳細赤目補正エリア６１には、現在の画像の瞳部分が中央に表示されており、この周辺の表示エリアには、上述した５種類の赤目補正パラメータによって１段階の補正を実施した結果としてのそれぞれの補正候補画像が表示されている。ここで、詳細赤目補正エリア６１に表示されている５つの補正候補画像のうち、いずれか１つの赤目補正パラメータを選択してさらにその補正度合を上下させたい場合には、図６に示すように、例えば、彩度引き補正について、マウスの左クリックにより補正度合を１段階上昇させ、右クリックにより補正度合を１段階下降させるように補正候補の画像を切り替えることができる。このため、選択された画像に対して左クリックが繰り返されることで段階的に特定の補正パラメータによる補正度合を上昇させた補正候補画像を作成、表示することができ、反対に右クリックが繰り返されることで補正回数を１回分ずつ取り消して補正度合を下降させた補正候補画像を作成、表示することができる。なお、このような補正度合の変更は、各赤目補正パラメータごとの補正度合を段階的に示す補正グラフエリア６３に表示されるグラフ（チャート図）に反映される。
【００３９】
さらに、本実施形態では、このような複数の赤目補正パラメータを組み合わせて補正された補正候補画像を作成、表示することもできる。具体的には、ある赤目補正パラメータの補正度合を確定して詳細赤目補正エリア６１の中央に補正後の画像を表示した後、異なる種類の赤目補正パラメータに合わせてマウスが左クリックされることで複数の赤目補正パラメータを組み合わせて補正した補正候補画像を作成、表示することができる。このように、複数種類の赤目補正パラメータを組み合わせた場合にも、補正度合の変更が補正グラフエリア６３に表示されるグラフに反映される。このため、ユーザは、現在表示されている補正候補画像が各赤目補正パラメータのどの補正度合にあるのかを容易に確認することができるため、所望の赤目補正を各赤目補正パラメータを組み合わせて調整することができる。
【００４０】
詳細赤目補正エリア６１において設定した詳細赤目補正を確定させる場合には、詳細赤目補正画面６０の右側の下部に配置されたＯＫボタン６７を押下する。これにより、補正内容がメモリ３０に記憶され、モニタ１１の表示が赤目補正画面５０に切り替わる。一方、詳細赤目補正を実施しない場合には、キャンセルボタン６８を押下する。これにより、詳細赤目補正画面６０で設定された補正内容はメモリ３０に記憶されることなく、モニタ１１の表示が赤目補正画面５０に切り替わる。また、確定した赤目補正を実施した画像全体を確認したい場合には、プレビューボタン６６を押下する。これにより、モニタ１１の表示が赤目補正画面５０に切り替わって、赤目補正の内容が確定した瞳部分を含む画像全体が表示される。
【００４１】
なお、以上のような詳細赤目補正は、選択された瞳部分を含む画像１つずつに対して実施されてもよし、同一人物の瞳については２つ同時に同じ設定内容の補正を実施してもよい。また、画像に含まれる人の全ての瞳部分を同じ設定内容で赤目補正を実施することも当然に可能である。
［写真プリント装置１による赤目補正処理］
本実施形態の写真プリント装置１では、図７および図８に示すフローチャートに従って赤目補正処理を行う。
【００４２】
すなわち、ステップＳ１において、メディアリーダ１２等からカメラで撮影した撮影コマの画像データを取得する。このとき、メモリ３０には、赤目補正の内容を設定する際の補正候補画像等を形成するための低解像度データと、補正内容の確定後に実際にプリントされる高解像度データと、が別々に格納される。
ステップＳ２においては、取得した画像データのうち低解像度データに基づいて、モニタ１１に各撮影コマに対応する画像を表示する（図３参照）。
【００４３】
ステップＳ３においては、図３に示す操作入力画面４０に表示された複数の撮影コマの中から赤目補正を行う必要があると思われる撮影コマが選択される。具体的には、操作入力画面４０において、所望の撮影コマの上にカーソルを合わせてダブルクリックすることで、該当する撮影コマが選択される。
ステップＳ４においては、モニタ１１の表示が、操作入力画面４０において選択された撮影コマを拡大して表示する赤目補正画面５０（図４参照）に移行する。
【００４４】
ステップＳ５においては、赤目補正画面５０の拡大画像表示エリア５１に含まれる人の瞳の部分を自動的に検出する。なお、ステップＳ５における瞳部分の検出は、自動的に行うのではなく、ユーザの操作によって赤目補正が必要な瞳部分を含む周辺領域を画面上で指定する方法により特定してもよい。
ステップＳ６においては、自動的に検出された瞳部分について、詳細な赤目補正を行うか否かを選択する。ここで、詳細な赤目補正を行わずに１つの赤目補正パラメータを用いた１回の赤目補正を自動で行う場合には、図８に示すステップＳ１５へ進む。そして、ステップＳ１５においては、赤目補正画面５０において赤目補正パラメータが選択され、ステップＳ１３において選択された赤目補正パラメータに基づいてプリントデータが生成される。次に、ステップＳ１４において、補正内容が反映されたプリントデータがプリンタ３へ送信され、プリンタ３において所望のプリント処理が実行される。一方、詳細赤目補正を行う場合には詳細赤目補正ボタン５４が押下され、図８に示すステップＳ７へ進む。
【００４５】
ステップＳ７においては、詳細赤目補正画面６０がモニタ１１に表示され、ステップＳ８において、５種類の赤目補正パラメータ（彩度引き、ブルー、グレー塗りつぶし、ブルーグリーン、金目）の中から所望のパラメータを選択する。
そして、ステップＳ９において、ステップＳ８において選択された赤目補正パラメータの補正度合を設定する。この補正度合については、マウスの左右のクリックによって容易に補正度合の段階を変更することができる。
【００４６】
ステップＳ１０においては、ステップＳ８，S９において設定された赤目補正パラメータおよびその補正度合に基づいて補正候補画像を作成する。
ステップＳ１１においては、作成された補正候補画像を、図５の詳細赤目補正エリア６１に表示する。なお、ここで表示された補正候補画像についての赤目補正パラメータとその補正度合とは、図５に示す補正グラフエリア６３に表示されるグラフによって確認することができる。
【００４７】
ステップＳ１２においては、補正候補画像として表示された瞳部分の色について満足度が高ければ補正内容を確定させる。
ステップＳ１３においては、確定した補正内容を反映させたプリントデータを生成する。そして、ステップＳ１４においては、そのプリントデータが送信されたプリンタ３において所望のプリント処理が実行される。一方、補正候補画像の瞳部分の色の満足度が低く、さらに他の赤目補正パラメータを加えて、あるいは他の赤目補正パラメータに変更して、新たな補正候補画像を作成する場合には、ステップＳ８へ戻り、上述した処理が再度実施される。
【００４８】
［写真プリント装置１の特徴］
（１）
本実施形態の写真プリント装置１は、画像に含まれる人間の瞳部分の色調不良の補正、いわゆる赤目補正を行う際において、図２に示すように、瞳特定部３３が画像の一部分を特定し、その領域を瞳部分とする。そして、補正内容設定部３４がユーザによって選択された赤目補正パラメータおよびその補正度合を設定する。補正候補画像作成部３５は、設定された赤目補正パラメータおよびその補正度合に基づいて補正した補正候補画像を作成する。モニタ１１は、図５に示すように、この補正候補画像を表示する。
【００４９】
これにより、ユーザは、一度選択した赤目補正パラメータおよびその補正度合に基づいて補正された結果、画像中の瞳の色がどのように補正されるかを確認することができる。そして、例えば、満足できる状態になるまで赤目補正パラメータの種類、補正度合いを設定し直すことで、写真プリント装置１は繰り返し補正候補画像を作成する。この結果、赤目補正パラメータを設定すると自動的に赤目補正が実行されてしまう従来の画像処理装置と比較して、自分の目の色に近い赤目補正にしたい場合や、実際よりもブルーの目に補正したい場合等、ユーザの細かい要望により効果的に応えることが可能になる。
【００５０】
（２）
本実施形態の写真プリント装置１では、補正候補画像作成部３５が、一度作成した補正候補画像に対して、再度赤目補正パラメータあるいは補正度合を設定し直して、新たな補正候補画像を作成する。
これにより、一度補正された結果表示された補正候補画像に対して再度補正をかけることで、複数段階で補正度合を変更した複数の補正候補画像を作成することができる。この結果、一度設定した赤目補正パラメータによる赤目補正が自動的に実行される従来の画像処理装置と比較して、ユーザに対してより多くの赤目補正の選択肢を与えることができる。
【００５１】
（３）
本実施形態の写真プリント装置１では、図５に示すように、補正候補画像作成部３５において作成された複数段階で補正度合が変更された補正候補画像を、各赤目補正パラメータごとにモニタ１１に複数表示する。
これにより、複数段階の赤目補正を行った結果としての補正候補画像が複数表示されたモニタ１１を確認しながら、最適な赤目補正が行われている補正候補画像を選択することができる。よって、ユーザは、満足度の高い赤目補正が実施された補正候補画像に基づくプリントデータを作成して写真プリントすることができる。
【００５２】
（４）
本実施形態の写真プリント装置１では、例えば、図６に示すように、マウスの左クリック、右クリックによって選択された赤目補正パラメータの補正度合の強弱を１段階ずつ変更する。
これにより、補正度合を強くする場合は左クリックを繰り返し、逆に補正度合を弱くする場合には右クリックを繰り返すことで、１段階ずつ補正度合を変更した補正候補画像を作成することができる。よって、ユーザは簡単な操作で補正度合の変更を行うことができる。
【００５３】
（５）
本実施形態の写真プリント装置１では、詳細赤目補正画面６０において、各赤目補正パラメータの補正度合を補正グラフエリア６３にグラフによって表示している。
これにより、各赤目補正パラメータについて、複数段階で補正した結果、現在表示されている補正候補画像がどの補正度合であるかを容易に認識することができる。また、複数の赤目補正パラメータを組み合わせた場合でも、各赤目補正パラメータがどの補正度合で組み合わせられているかを容易に認識することができる。このため、ユーザは、グラフに表示された各赤目補正パラメータの補正度合を確認しながら、画像に含まれる瞳部分の色が好みの色になるように調整することができる。
【００５４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、補正候補画像として、瞳部分の周辺画像を拡大して表示する例を挙げて説明した。しかし、本発明はこれに限定されるものではない。
【００５５】
例えば、撮影コマ画像の全体を補正候補画像として表示してもよい。
ただし、上記実施形態のように、赤目補正を行う瞳部分の周辺を拡大して表示することで、細かい赤目補正パラメータや補正度合の違い等をよりはっきりと認識できることから、上記実施形態のように瞳部分の周辺を拡大して表示することがより望ましい。
（Ｂ）
上記実施形態では、選択された赤目補正パラメータについての補正度合の変更を、マウスの左右クリックによって行う例を挙げて説明した。しかし、本発明はこれに限定されるものではない。
【００５６】
例えば、マウスを用いることなく、モニタ１１の表示画面上のアイコン等を使用したり、キーボードを用いる等、他の方法によって補正度合の変更を行うこともできる。
（Ｃ）
上記実施形態では、本発明の画像処理装置を店頭端末機としての写真プリント装置１に適用した例を挙げて説明した。しかし、本発明はこれに限定されるものではない。
【００５７】
例えば、店頭端末機に限らず、図９に示すような、写真プリントシステム１００に対して本発明を適用することも当然に可能である。図９に示す写真プリントシステム１００は、ケーブル１０４を介して互いに接続された操作ステーション１０２とプリントステーション１０３とを備えており、操作ステーション１０２に含まれるＰＣにおいて補正内容等の各種設定が行われ、確定した内容に基づいてプリントステーション１０３が写真プリントを行う。
【００５８】
（Ｄ）
上記実施形態では、写真プリント装置１に対して本発明の画像処理装置が搭載されている例を挙げて説明した。しかし、本発明はこれに限定されるものではない。
例えば、写真プリント装置以外にも、画像に含まれる瞳の色調不良を補正する画像処理装置を搭載した各種機器に対して本発明を適用することが可能である。
【００５９】
さらに、写真プリント装置に搭載される画像処理装置としてではなく、上述した画像処理方法をコンピュータに実行させる画像処理プログラムとして本発明を実現することも可能である。
【産業上の利用可能性】
【００６０】
本発明の画像処理装置は、ユーザの細かい要望に応えることができるという効果を奏することから、赤目補正に限らず、他の補正を行う各種画像処理装置、画像処理プログラムに対して広く適用可能である。
【図面の簡単な説明】
【００６１】
【図１】本発明の一実施形態に係る写真プリント装置を示す外観図。
【図２】図１の写真プリント装置が形成する制御ブロック図。
【図３】図１の写真プリント装置のモニタに表示される操作入力画面を示す図。
【図４】図１の写真プリント装置のモニタに表示される赤目補正画面を示す図。
【図５】図１の写真プリント装置のモニタに表示される詳細赤目補正画面を示す図。
【図６】図５に示す詳細赤目補正画面における補正度合の変更を行う操作を示す図。
【図７】図１に示す写真プリント装置による赤目補正を行う際の処理の流れを示すフローチャート。
【図８】図１に示す写真プリント装置による赤目補正を行う際の処理の流れを示すフローチャート。
【図９】本発明の他の実施形態に係る写真プリントシステムを示す外観図。
【符号の説明】
【００６２】
１      写真プリント装置（画像処理装置）
２      端末機
３      プリンタ
１１      モニタ（表示部）
１２      メディアリーダ
１３      赤外線受光部
１４      ＣＤドライブ
１５      ＦＤドライブ
３０      メモリ
３１      画像入力部
３２      指示入力部
３３      瞳特定部
３４      補正内容設定部
３５      補正候補画像作成部
３６      グラフ作成部（補正内容グラフ作成部）
３７      ビデオ制御部
３８      プリントデータ生成部
４０      操作入力画面
４１      表示枠
５０      赤目補正画面
５１      拡大画像表示エリア
５２      表示確認エリア
５３      赤目補正内容選択エリア
５４      詳細赤目補正ボタン
６１      詳細赤目補正エリア
６２      補正領域表示エリア
６３      補正グラフエリア
１００    写真プリントシステム（画像処理装置）
１０２    操作ステーション
１０３    プリントステーション
【図１】
2006180160.tif 000003
【図２】
2006180160.tif 000004
【図３】
2006180160.tif 000005
【図４】
2006180160.tif 000006
【図５】
2006180160.tif 000007
【図６】
2006180160.tif 000008
【図７】
2006180160.tif 000009
【図８】
2006180160.tif 000010
【図９】
2006180160.tif 000011